(57)【要約】【課題】  コスト的にも抑えつつ、悪用を防止することが可能な、カード認証システムを提供する。【解決手段】  利用者が、キャッシュカード１０を端末装置２０に挿入し、暗証番号を入力すると、端末装置２０は、キャッシュカード１０から公開二次元バーコードを光学的に読み取る一方、暗証番号に基づいて鍵コードを生成し、公開二次元バーコードと鍵コードに基づいて、二次元バーコードを復元し、この二次元バーコードを口座番号に変換し、口座番号をホストコンピュータ３０に送信する。ホストコンピュータ３０では、受信した口座番号の認証を行い、正当である場合には、端末装置２０に使用許可を与える。【選択図】  図２
2007128134.tif 000002
【特許請求の範囲】
【請求項１】
公開二次元バーコードが印刷されたキャッシュカードから公開二次元バーコードを読み取る光学的読取手段と、
暗証番号を入力する暗証番号入力手段と、
前記入力された暗証番号に対応する鍵コードを生成する鍵コード生成手段と、
前記読み取った公開二次元バーコードと、前記生成された鍵コードに基づいて、原文二次元バーコードを復元する二次元バーコード生成手段と、
前記復元された原文二次元バーコードを口座特定情報に変換する情報変換手段と、
前記変換により得られた口座特定情報を用いて正当性の認証を行う認証手段と、
を有することを特徴とするカード認証システム。
【請求項２】
前記カード認証システムは、端末装置とホストコンピュータが通信回線を介して接続された構成であり、
前記端末装置は、前記光学的読取手段、前記暗証番号入力手段、前記二次元バーコード生成手段、前記情報変換手段を備えており、
前記ホストコンピュータは、前記認証手段を備えていることを特徴とする請求項１に記載のカード認証システム。
【発明の詳細な説明】
【技術分野】
【０００１】
本発明は、キャッシュカード等のカード媒体の認証を行うための技術に関する。
【背景技術】
【０００２】
従来より、金融機関から預金の引き出し等を行うために、キャッシュカードが用いられている。このようなキャッシュカードには、磁気により情報が記録されており、ＡＴＭ等の機械により、磁気に記録された情報が読み取られるようになっている。
【発明の開示】
【発明が解決しようとする課題】
【０００３】
しかし、最近では、技術の進歩により、小型化された磁気読み取り装置により、磁気情報が読み取られ、悪用されるケースが増えてきている。このような悪用を防止するため、ＩＣカードを用いることも行われているが、コストがかかるという問題がある。
【０００４】
上記のような点に鑑み、本発明は、コスト的にも抑えつつ、悪用を防止することが可能な、カード認証システムを提供することを課題とする。
【課題を解決するための手段】
【０００５】
上記課題を解決するため、本発明では、公開二次元バーコードが印刷されたキャッシュカードから公開二次元バーコードを読み取る光学的読取手段と、暗証番号を入力する暗証番号入力手段と、前記入力された暗証番号に対応する鍵コードを生成する鍵コード生成手段と、前記読み取った公開二次元バーコードと、前記生成された鍵コードに基づいて、二次元バーコードを復元する二次元バーコード生成手段と、前記復元された二次元バーコードを口座特定情報に変換する情報変換手段と、前記変換により得られた口座特定情報を用いて正当性の認証を行う認証手段を有するカード認証システムを用いる。
【発明の効果】
【０００６】
本発明によれば、キャッシュカードから公開二次元バーコードを光学的に読み取る一方、入力された暗証番号に基づいて鍵コードを生成し、公開二次元バーコードと鍵コードに基づいて、二次元バーコードを復元し、この二次元バーコードを口座特定情報に変換し、この口座特定情報を用いて正当性の認証を行うようにしたので、キャシュカード製造のコストを抑えつつ、悪用を防止することが可能となる。
【発明を実施するための最良の形態】
【０００７】
以下、本発明の好適な実施形態について、図面を参照して詳細に説明する。
（カードの構造）
まず、本発明に係るカード認証システムにおいて利用するキャッシュカード１０の構造について説明する。図１は、本発明のカード認証システムで用いるカードの平面図である。図１において、１はカード基材、２は公開二次元バーコードである。本発明において用いるキャッシュカードは、カード基材１には特徴はなく、カード基材上に公開二次元バーコードが印刷されている点が異なっている。また、カード基材１上には、従来の磁気カードと同様、保有者の氏名や口座番号等が印刷されているが、本発明の特徴とは直接関係がないので、図１においては省略してある。
【０００８】
ここで、キャッシュカードの表面に印刷される公開二次元バーコードの作成手法について説明する。公開コードの作成は、国際公開第０４／０９０８０４号（以下特許文献１とする）に開示されているような公知の技術により作成することができる。具体的には、まず、氏名、口座番号等の情報を、規格化された手法により二次元バーコード化して原文二次元バーコードを得る。この原文二次元バーコードとしては、ＱＲコードなどが良く知られている。そして、この口座についての暗証番号を、同様に、規格化された手法により二次元バーコード化して鍵コードを得る。その後、原文二次元バーコードに、鍵コードを作用させて、公開二次元バーコードを得る。
【０００９】
上記のような、公開二次元バーコードは、各口座ごとに作成され、この公開二次元バーコードは、キャッシュカードに印刷される。公開二次元バーコードは、そのままでは情報の復元が不可能なものとなっているので、キャッシュカードに印刷された公開二次元バーコードを撮影して、それから情報を得ようとしても情報を得ることはできない。
【００１０】
（システム構成）
次に、本発明に係るカード認証システムについて説明する。図２は、本発明のカード認証システムの構成図である。図２において、２０は端末装置、３０はホストコンピュータ、４０は通信回線である。端末装置２０は、いわゆるＡＴＭであり、キャッシュカードを利用して預金の出し入れ等が可能なものである。本発明における端末装置２０は、通常のＡＴＭが備えている口座に対する手続を行うための手段、暗証番号入力手段等に加え、キャッシュカードに印刷された公開コードを読み取るための光学的読取手段を備えている。ホストコンピュータ３０は、銀行等の金融機関が管理するコンピュータであり、端末装置２０からの情報に基づいて、口座番号データベースにアクセスし、キャッシュカードの認証処理等を行う機能を有する。
【００１１】
（システムの処理動作）
続いて、図２に示したシステムの処理動作について説明する。まず、利用者は、従来のＡＴＭにおけるキャッシュカードの利用と同様に、図１に示したキャッシュカード１０を、端末装置２０に設けられたカード挿入口に入れ、読み込ませる。端末装置２０では、キャッシュカード１０が挿入されたことを認識すると、光学的読取手段により、キャッシュカード１０上の所定の位置に印刷された公開二次元バーコードを光学的に読み取る。これにより、公開二次元バーコードの画像が端末装置２０内に取り込まれる。
【００１２】
利用者は、端末装置２０にキャッシュカード１０を挿入した後、暗証番号を入力する。暗証番号の入力は、従来のＡＴＭと同様、キーボードやタッチパネルにより番号を直接指定することにより行う。端末装置２０は、暗証番号が入力されると、その暗証番号を二次元バーコード化することにより鍵コードを生成する。
【００１３】
続いて、端末装置２０は、取り込んだ公開二次元バーコードと、暗証番号を基に生成した鍵コードを利用して、原文二次元バーコードを生成する。具体的には、上記特許文献１に開示されているような手法により行われることになる。
【００１４】
原文二次元バーコードを生成したら、端末装置２０は、この原文二次元バーコードから基の情報、すなわち口座名義人の氏名および口座番号を復元する。これは、規格化された二次元バーコードから情報を復元する手法により実現することができる。そして、これらの情報をホストコンピュータ３０に送信する。
【００１５】
ホストコンピュータ３０では、端末装置２０から受信した口座名義人の氏名および口座番号が、口座番号データベースに存在するかどうかを確認し、存在する場合には、その口座が正当なものである旨の情報を端末装置２０に送信する。端末装置２０は、ホストコンピュータ３０から、正当である旨の情報を受信すると、利用者が、その口座に対して手続可能な状態に移行する。
【００１６】
このようにして、手続可能な状態になったら、利用者は、そのキャッシュカードに対応した銀行口座に対して、従来と同様、端末装置２０から手続を行うことが可能となる。
【００１７】
以上、本発明の好適な実施形態について説明したが、本発明は上記実施形態に限定されず、種々の変更が可能である。例えば、図１に示したキャッシュカード１０のカード基材１上に印刷される公開二次元バーコード２は、人間の目に見えるインキで印刷したものであるが、透明インキを用いて公開二次元バーコード２を印刷するようにしても良い。透明インキとは、通常のインキと異なり、可視光以外の赤外線吸収もしくは発散特性を有するインキである。端末装置２０（ＡＴＭ）が備えるＣＣＤカメラ等の光学的読取手段は、通常、可視光以外のものも読み取ることができるため、このような透明インキであっても公開二次元バーコード２の読み取りが可能となる。
【図面の簡単な説明】
【００１８】
【図１】本発明で利用するキャッシュカードの平面図である。
【図２】本発明に係るカード認証システムの構成図である。
【符号の説明】
【００１９】
１・・・カード基材
２・・・公開二次元バーコード
１０・・・キャッシュカード
２０・・・端末装置（ＡＴＭ）
３０・・・ホストコンピュータ
４０・・・通信回線
【図１】
2007128134.tif 000003
【図２】
2007128134.tif 000004